(57)【特許請求の範囲】
【請求項１】
フレームと、
このフレームに取付けられるリフレクタ材と、
このリフレクタ材に反射させる光を照射する照明器具を備えた建材において、
前記リフレクタ材に生じるグレアを低減することができるカバー材を設け、
前記カバー材は、前記照明器具の照射面からその照射光の進行方向に沿った被せ高さを備えた被部と、この被部の端部に形成された開口部とを有し、
前記照明器具の照射光は、前記開口部から前記リフレクタ材の長手方向に向かって照射されることを特徴とする照明器具を備えた建材。
【請求項２】
前記被部は、前記照明器具が配置される高さ位置に応じた被せ高さを備えていることを特徴とする請求項１に記載の照明器具を備えた建材。
【請求項３】
前記カバー材の開口部には、その開口部を覆うキャップが取付けられていることを特徴とする請求項１に記載の照明器具を備えた建材。
【請求項４】
前記照明器具は、前記フレームに対して係脱自在に配置されていることを特徴とする請求項１に記載の照明器具を備えた建材。
【請求項５】
前記照明器具は、取付材を介して前記フレームに配置されていることを特徴とする請求項１又は４に記載の照明器具を備えた建材。
【発明の詳細な説明】
【技術分野】
【０００１】
本願発明は、建物の建材として使用される照明器具を備えた建材に関する。
【背景技術】
【０００２】
出願人は、ＬＥＤプレートをアルミ押出し形材のケースに取り付けて構成されている照明器具を開発すると共に、その照明器具の建材への適用例についても、その研究、開発を進めている。
例えば、特許文献１では、ＬＥＤプレートを形材本体に配置し、そのＬＥＤプレートの上からコーティング材を充填して照明器具を構成し、その照明器具を内ケースとして、外ケースに組み込んでいる建材を提案している。
かかる建材は、建物の方立、無目、巾木、下枠等に取り付け、室内においては壁面の巾木等に取り付けられるもので、建物の出入り口、通路等での足元灯、誘導灯の照明として、通行者等に安全、安心感を与え、また建物のライトアップを図ることとしている（同文献の段落００４１）。
【０００３】
さらに、出願人は、建材と前記照明器具とのコラボレーションのみならず、広く、建材と照明とのコラボレーションを図ることができる建材の開発を進めている（特許文献２）。
【先行技術文献】
【特許文献】
【０００４】
【特許文献１】特開２０１３−１０５６１１号公報
【特許文献２】特願２０１６−２２６２５号
【発明の概要】
【発明が解決しようとする課題】
【０００５】
かかる開発過程において、本願の発明者は、次のような技術的課題を見出した。
前記建材は、長尺状のフレームに、照明器具と前記照明器具の照明光を反射させるためにリフレクタ材を備えているが、そのリフレクタ材によって引き起こされる「グレア（ｇｌａｒｅ）」という現象が生じる。
【０００６】
この「グレア」は、ギラギラとまぶしい光という意味である。
適正な照明は、人の生活や活動に不可欠なものであるが、「グレア」は、照明器具の輝度が高すぎて、光の過剰である場合に、その光が目に入ることで不快感を生じる現象である。
この現象は、光源からの直接的な光のみならず、鏡面などからの反射光等の間接的な光からも引き起こされるもので、不快感が生じる原因は心理的なものとされている。
「グレア」は目の順応状態にも関係するものとされ、例えば同じ高い輝度の照明器具が屋外に設置されている場合に、夜間ではそのまぶしさから「不快感」を感じるが、昼間では「不快感」を感じない場合がある。
かかる「グレア」を低減することが、外装用の照明器具を備えた建材の照明設計にあたり、解決すべき技術的課題となる。
【０００７】
そこで、本願では、主に外装材として使用される建材において、「グレア」を低減することができる照明器具を備えた建材を提供することを目的とする。
【課題を解決するための手段】
【０００８】
上記課題を解決するため、本願発明に係る照明器具を備えた建材は、フレームと、このフレームに取付けられるリフレクタ材と、このリフレクタ材に反射させる光を照射する照明器具を備えた建材において、前記リフレクタ材に生じるグレアを低減することができるカバー材を設け、前記カバー材は、前記照明器具の照射面からその照射光の進行方向に沿った被せ高さを備えた被部と、この被部の端部に形成された開口部とを有し、前記照明器具の照射光は、前記開口部から前記リフレクタ材の長手方向に向かって照射されることを特徴とする建材とした（請求項１に記載の発明）。
【０００９】
前記被部は、前記照明器具が配置される高さ位置に応じた被せ高さを備えていることを特徴とする照明器具を備えた建材とした（請求項２に記載の発明）。
【００１０】
前記カバー材の開口部には、その開口部を覆うキャップが取付けられていることを特徴とする照明器具を備えた建材とした（請求項３に記載の発明）。
【００１１】
前記照明器具は、前記フレームに対して係脱自在に配置されていることを特徴とする照明器具を備えた建材とした（請求項４に記載の発明）。
【００１２】
前記照明器具は、取付材を介して前記フレームに配置されていることを特徴とする照明器具を備えた建材とした（請求項５に記載の発明）。
【発明の効果】
【００１３】
前記カバー材を備えた結果、前記照明器具の照射光により、前記リフレクタ材に輝度が高いグレアが生じたとしても、その箇所からの光は、前記カバー材によって所定の角度のビームを形成することとなる。そのビームの範囲の外では、グレアを認識することができず、グレアが低減される。また、前記ビームの範囲の外では、不快を感じさせるシャープな輝度の高い光が低減され、柔らかな光を認識することができる。
よって本願発明によれば、「グレア」を低減することができる照明器具を備えた建材を提供することができる。
【図面の簡単な説明】
【００１４】
【図１】本発明に係る照明器具を備えた建材の斜視図、
【図２】同建具の要部を切欠いた斜視図、
【図３】同建具の横断面図、
【図４】同建具の照明器具の縦断面図、
【図５】同建具の配置図、
【図６】同建具の作用説明図、
【図７】同建具の作用説明図、
【図８】同建具の作用説明図、
【図９】同建具の作用説明図、
【図１０】インテリア建材を構成するフレームの横断面図、
【図１１】インテリア建材を構成する取付材の横断面図、
【図１２】インテリア建材を構成するリフレクタ材の横断面図、
【図１３】インテリア建材を構成する別例のリフレクタ材の横断面図、
【図１４】インテリア建材を構成するフサギ材の横断面図、
【図１５Ａ】（１）インテリア建材の正面図、（２）照明器具の内部機構を省略した同正面図の下方のＣ−Ｃ矢視断面図、（３）照明器具の内部機構を省略した同正面図の上方のＣ−Ｃ矢視断面図、（４）同正面図のＤ−Ｄ矢視断面図、
【図１５Ｂ】インテリア建材の要部斜視図、
【図１５Ｃ】インテリア建材が施工された室内の要部斜視図、
【図１６Ａ】（１）インテリア建材の正面図、（２）照明器具の内部機構を省略した同正面図の下方のＦ−Ｆ矢視断面図、（３）照明器具の内部機構を省略した同正面図の上方のＦ−Ｆ矢視断面図、（４）同正面図のＥ−Ｅ矢視断面図、
【図１６Ｂ】インテリア建材の要部斜視図、
【図１６Ｃ】インテリア建材が施工された室内の要部斜視図、
【図１７Ａ】（１）インテリア建材の正面図、（２）同正面図の下方のＧ−Ｇ矢視断面図、（３）同正面図の上方のＧ−Ｇ矢視断面図、（４）照明器具の内部機構を省略した同正面図のＨ−Ｈ矢視断面図、
【図１７Ｂ】インテリア建材が施工された室内の要部斜視図、
【図１８】ハズレ止めの横断面図及び同正面図である。
【発明を実施するための形態】
【００１５】
本発明に係る照明器具を備えた建材（以下、単に建材とも称する）は、図１〜図３に図示したように、長尺状のフレーム１と、このフレーム１に固定されている取付材３に取り付けられている照明器具２と、この照明器具２から照射される光を反射させるリフレクタ材４と、このリフレクタ材４に生じる「グレア」を低減することができるカバー材６を備えている。
【００１６】
前記フレーム１は、図３のように、形材の長尺方向に交差する面の断面形状が「コ」の字のように構成されて、照明器具２、取付材３、リフレクタ材４を取付けることができる第一の空間１２と、照明器具２の配線等を納めることができる第二の空間１４とからなる。
これらの空間１２，１４の境界には、起立片１３０、１３０からなる取付ヒレ１３が形成されている。
【００１７】
前記照明器具２は、図４に示すように、本体２０にＬＥＤモジュール２４を搭載したもので、入力線２５の端部に入力側コネクタ２６を、出力線２７の端部に出力側コネクタ２８を備え、これらの入力線２５、入力側コネクタ２６、出力線２７及び出力側コネクタ２８は、前記第二の空間１４に配置されている。
前記ＬＥＤモジュール２４の照射面２９は、その照射面２９からの光が前記リフレクタ材４で反射されるように、前記リフレクタ材４側に傾斜して配置されている。
【００１８】
前記取付材３は、前記フレーム１の起立片１３０，１３０に係止される共に固定される起立係止片３２，３２と、これらの起立係止片３２，３２の間に照明器具２の本体２０の外形に沿うような湾曲状の配置片３４を備えている。
【００１９】
前記リフレクタ材４は、前記取付材３と同様に、前記フレーム１の取付ヒレ１３に係合される起立係止片４２，４２と、これらの起立係合片４２，４２の間に、照明器具２の本体２０の外形に沿うような湾曲状の反射面４５を備えている。
なお、この実施形態では、リフレクタ材４と取付材３は同一形状である。
【００２０】
前記カバー材６は、前記フレーム１の一方の取付ヒレ１３の起立片１３０に当接される当接部６０と、前記フレーム１の他方の取付ヒレ１３の起立片１３０に固定される固定部６１と、これらの当接部６０及び固定部６１の間に、照明器具２の本体２０の円筒状の外形に沿うような、筒部６２を備えている。
このように構成された前記カバー材６は、その長手方向において前記本体２０を囲む基部６３と、前記照明器具２の照射面２９の上方に形成される被部６４に区分されると共に、被部６４の端部には開口部６５が形成される。
【００２１】
前記被部６４による、前記照明器具２の照射面２９の上方の被せ幅（被せ高さとも称する）Ｌは、後述のように前記照明器具２が配置される高さ位置（階高さ）に応じて調整される。
前記開口部６５には、ゴミ溜まり等を防ぐために、その開口部６５を覆う透光性を有するキャップ（図示せず）を取付けるようにしてもよい。
【００２２】
上記のような照明器具２、取付材３、リフレクタ材４及びカバー材６は、前記フレーム１に対し、図５のように取付材３を介して照明器具２が固定され、その取付材３に連続させて、前記フレーム１の長手方向の前後に前記リフレクタ材４が固定され、複数の照明器具２を直列に配置できるようになっている。
また、前記照明器具２は前記フレーム１に対して取付材３を介して係脱自在に配置され、照明器具２のメンテナンスの便宜が図られている。つまり、照明器具２を交換する際には、取付材３を取外すだけでよく、長尺のリフレクタ材４を取外す必要がないため、作業が容易である。
【００２３】
上記のように構成された建材においては、前記照明器具２の照射光により、前記リフレクタ材４に輝度が高いグレアが生じた場合、その箇所等からの光により、前記カバー材６の開口部６５から、前記リフレクタ材４（或は前記フレーム１、以下同様）の長手方向に対し所定の角度でビームｂが形成される。よって、そのビームの範囲の外では、グレアを認識することができずグレアが低減されると共に、柔らかな光を認識することができる。
【００２４】
このような建材の作用効果を図６〜図９の図示に従って、説明すれば次の通りである。
図６及び図７は、それぞれ前記照明器具２の配置高さＨ１が４メートルで、且つ、下方に照射される場合（以下、ダウンとも称する）で、図６は前記カバー材６の被部６４の被せ幅Ｌを約２０ｍｍに設定した場合、図７は同被部６４の被せ幅Ｌを約１００ｍｍに設定した場合を図示したものである。
図８及び図９は、それぞれ前記照明器具２の配置高さＨ２が０．５メートルで、且つ、上方に照射される場合（以下、アッパーとも称する）で、図８は前記カバー材６の被部６４の被せ幅Ｌを約２０ｍｍに設定した場合、図９は同被部６４の被せ幅Ｌを約１００ｍｍに設定した場合を図示したものである。
即ち、図６及び図８に図示するように、前記カバー材６の被部６４による被せ高さＬが約２０ｍｍの場合には、前記カバー材６の開口部６５からは、前記リフレクタ材４の長手方向に対して約４５度のビームｂが形成され、グレアを低減することができる角度として、約４５度のグレアカット角度がえられる。
【００２５】
一方、図７及び図９に図示するように、前記被せ高さＬが、約１００ｍｍの場合には、前記カバー材６の開口部６５からは、前記リフレクタ材４の長手方向に対して約１０度のビームｂが形成され、グレアを低減することができる角度として、約８０度のグレアカット角度がえられる。
【００２６】
図６及び図８の約４５度のグレアカット角度の場合には、前記フレーム１から約０．５に離れる歩行者Ｐに対しグレアが意識されることとなる。
しかし、図７及び図９の約８０度のグレアカット角度の場合には、それぞれ前記歩行者Ｐに共にグレアが意識されることはない。また，ビームｂの範囲Ｒの外では、輝度が高いシャープな光ではなく、柔らかな光を認識することができる。
【００２７】
グレアによる不快感は、前記照明器具２が配置される高さに比例するように薄まることも予測できることから、前記照明器具２が配置される高さ位置（階高さ）に応じて、前記カバー材６の被部６４の被せ高さＬを選択するようにしてもよい。
その際、人が近づく範囲に配置される場合（例えば、１階等のダウンとアッパー）は、被せ高さＬを大きくし、そうでない場合（例えば、２階以上のアッパー）は、被せ高さＬを小さくしてもよい。なお、図６〜図９のようにアッパーのみ、またはダウンのみを配置するだけでなく、アッパーとダウンの両方を配置してもよい。
【００２８】
以下のような主に建物の室内で使用される建材としてのインテリア建材においても、「グレア」が生じやすい環境を考慮して、上記カバー材６を取り付けてもよく、同様な作用効果を奏することができる。
【００２９】
前記インテリア建材は、図１０〜図１７Ｂに図示されているように、長尺状のコ字状の形材であるフレーム１と、照明器具２と、この照明器具２を前記フレーム１に取付けるための取付材３と、この照明器具２の照明光を反射させるために前記フレーム１に取付けられるリフレクタ材４と、前記フレーム１が備える開口１０を塞ぐフサギ材５から構成される。
前記フレーム１の開口１０は、前記照明器具２、前記取付材３、前記リフレクタ材４及び前記フサギ材５を取付るための取付空間１１となっている。
前記取付空間１１に、照明器具２を取付けた前記取付材３、前記リフレクタ材４及び前記フサギ材５を組合わせて、インテリア建材とすることができる。
なお、以下に詳述する本願発明のインテリア建材に共通する構成は、共通する用語を用いると共に、各図において略同一に図示して詳細な説明は省略し、且つ、必要に応じて同一の符号で示すことがある。
【００３０】
前記フレーム１は、図１０のように、形材の長尺方向に交差する面の断面形状が「コ」の字のように構成されて、開口１０を備えている。
前記開口１０は、取付空間１１を構成し、照明器具２を収容することができる第一の空間１２と、前記取付材３、リフレクタ材４又は前記フサギ材５を取付けることができる取付ヒレ１３と、照明器具２の配線等を納めることができる第二の空間１４とからなる。
前記取付空間１１は、フレーム１の両側面１５，１６及び背面１７の辺に囲まれて構成されている。
【００３１】
前記第一の空間１２は、照明器具２の全体を収容できるスペースに構成しても、その一部のみを収容するようにされていてもよい。
前記取付ヒレ１３は、両側面１５，１６の内面１８，１８からそれぞれ起立する起立片１３０，１３０と、各起立片１３０，１３０の端部から略ハの字状に傾斜する傾斜部１３１，１３１を備えている。これらの傾斜部１３１，１３１は、前記取付材３の起立係止片３２，３２（後述）を係止する際に、その起立係止片３２，３２に加えられる押圧力により、起立係止片３２，３２と係合されるようになっている。
【００３２】
以上のように構成されるフレーム１は、前記開口１０が室内側に臨むように、前記背面１７、側面１５及び／又は側面１６が壁面等に固定されている。
【００３３】
前記照明器具２は、ブラケットライトが内ケーシングにセットされて構成されている照明器具が本書で記載されているが、これらに限定されるものではない。
これらの照明器具２は、取付材３の他、フサギ材５を介して前記取付空間１１に配置される。
【００３４】
前記取付材３は、図１１のように、前記フレーム１の起立片１３０，１３０に当接しつつ、第一の空間１２と第二の空間１４の間において、前記開口１０（この実施形態では第二の空間１４）を塞ぐ薄板３０と、その薄板３０の裏面３１から起立する起立係止片３２，３２と、前記薄板３０の正面３３に前記照明器具２を配置する配置片３４を備えている。
前記起立係止片３２，３２の先端には、前記取付材３を押圧しつつ前記取付ヒレ１３の傾斜部１３１，１３１に前記起立係止片３２，３２を係合する際に、その先端が傾斜部１３１，１３１に当接する滑面３５，３５が形成されている。また起立係止片３２，３２には、前記取付材３を前記フレーム１から取外す場合に、容易に取外すことができるように、前記滑面３５，３５に連続して、略半円状の係止部３６，３６が形成されている。
これによりインテリア建材のメンテナンスの容易性、趣向の変化に対応させる取付材３、後述のように同様に構成されているリフレクタ材４、フサギ材５等の交換の容易性が図られている。
なお、前記取付材３と前記フレーム１との係脱を更に自在に容易にするために、前記取付材３の薄板３０の上下方向の端部に、治具を挿入できる切欠（図示せず）を設けてもよい。  
【００３５】
前記配置片３４は、照明器具２の「カサ」部分等を安定的に載置できるようなカーブを備えており、そのような「カサ」を備えた照明器具２の専用材となっている。
なお、前記フサギ材５に、ブラケットライト等の照明器具２を固定して取付ることができるので、フサギ材５は取付材を兼用できるようになっている。
【００３６】
以上のような構成の取付材３は、フレーム１と同様に長尺状に構成されていて、必要に応じて、その長さサイズを調整するため、切断して使用される。
【００３７】
前記リフレクタ材４は、図１２のように、前記取付材３の薄板３０及び起立係止片３２，３２と同様の薄板４０及び起立係止片４２，４２を備えると共に、前記薄板４０の正面４３に前記照明器具２からの照明光を反射させる反射片４４を備えている。
【００３８】
この反射片４４は、円筒をその直径に沿って左右に２つに分割した半円筒状のもので、円筒の内面が反射面４５となっている。その他の構成は、前記取付材３と同様である。
【００３９】
図１３は、別例のリフレクタ材４Ａの構成例を示すもので、前記取付材３の薄板３０及び起立係止片３２，３２と同様の薄板４０及び起立片４２，４２を備えると共に、前記薄板４０の正面４３に前記照明器具２からの照明光を反射させる波板状の反射面４６を備えている。その他の構成は、前記取付材３と同様である。
【００４０】
前記フサギ材５は、図１４に図示したように、前記取付材３の薄板３０及び起立係止片３２，３２と同様の薄板５０及び起立係止片５２，５２を備えると共に、前記薄板５０の正面５３は平面状に構成されている。
【００４１】
このような構成のフサギ材５は、前記フレーム１の開口１０に前記取付材３、リフレクタ材４を取付けない箇所において、その開口１０を塞ぐものであると共に、前記薄板５０の正面５３に照明器具２を固定できるようになっている。その他の構成は、前記取付材３と同様である。
【００４２】
次に、前記フレーム１の取付空間１１に、前記照明器具２、前記取付材３、前記リフレクタ材４又は前記フサギ材５を組合わせる場合の実施形態を説明する。
【００４３】
図１５Ａは、前記取付空間１１に、下方から上方にかけて、順次、照明器具２としてのブラケットライト２Ｂを固定した取付材３、前記リフレクタ材４Ａ、前記ブラケットライト２Ｂを固定した取付材３を組合わせた実施形態である。
【００４４】
前記ブラケットライト２Ｂは、図１５Ａ及び図１５Ｂのように、その照明光が前記リフレクタ材４Ａに向けて放射される位置に固定されている。即ち、ブラケットライト２Ｂのカサ２３の外周が前記取付材３の配置片３４に密着して載置され、カサ２３が薄板３０の正裏面３１，３３間を貫通させた孔を介してネジ止めされていると共に、別の貫通孔を介して第二の空間１４に配線を延在させている。
【００４５】
図１５Ｃは、図１５Ａに示した組合わせの実施形態において、ブラケットライト２Ｂとリフレクタ材４Ａの正面４３に形成された波型の反射面４６による光の作用効果を示したもので、リフレクタ材４Ａの反射面４６の山と谷の差が照射光で強調されて、縦線の模様が表現されて、独特のインテリア建材となっている。
【００４６】
図１６Ａは、前記フレーム１の取付空間１１に、下方から上方にかけて、順次、照明器具２としてのブラケットライト２Ｂを固定した取付材３、前記リフレクタ材４、前記プラットライト２Ｂを固定した取付材３を組合わせた実施形態を示したものである。
前記ブラケットライト２Ｂは、図１６Ｂのように、その照明光が前記リフレクタ材４に向けて放射される位置に固定されている。
【００４７】
図１６Ｃのように、前記フレーム１の上端から前記ブラケットライト２Ｂの照明光が前記リフレクタ材４の半円筒形の反射面４５に反射されて生じる光の濃淡の段階的な変化、視線の方向による光の濃淡の段階的な変化を現したもので、独特のインテリア建材となっている。
【００４８】
図１７Ａに示した組合わせ例は、図１６Ａの組合わせ例を変形させたもので、前記取付空間１１に、下方から上方にかけて、順次、前記リフレクタ材４、前記ブラケットライト２Ｂを固定した取付材３、前記リフレクタ材４を組合わせた実施形態である。
【００４９】
かかる組合わせ例では、図１７Ｂのように、ブラケットライト２Ｂの照明光が上下方向に導かれて反射されるようになっている。さらに、図１７Ｂのように、前記フレーム１の上端に進行した前記ブラケットライト２Ｂの照明光は、天井面で反射されて、リフレクタ材４の形状を反映させることができる間接照明となっている。
【００５０】
上記インテリア建材の効果を纏めれば次の通りである。
（１）  インテリア建材を構成する要素として、フレーム１と、ブラケットライト２Ｂ等の照明器具２と、これらの照明器具２を前記フレーム１に取り付けたるための取付材３と、これらの照明器具２の照明光を反射させるために前記フレーム１に取付けられるリフレクタ材４，４Ａと、前記フレーム１が備える開口１０を塞ぐフサギ材５を用いることで、インテリア建材のバリエーションを高めて建材と照明とのコラボレーションを図ることができる。
（２）  また、フレーム１と、ブラケットライト２Ｂ等の照明器具２と、これらの照明器具２を前記フレーム１に取り付けたるための取付材３と、これらの照明器具２の照明光を反射させるために前記フレーム１に取付けられるリフレクタ材４，４Ａと、前記フレーム１が備える開口１０を塞ぐフサギ材５の組合わせを選択することで、変化に富んだ光の演出が可能となっている。
（３）  前記リフレクタ材４，４Ａは、前記照明器具２の照明光の進行方向に沿って配置されているので、前記リフレクタ材４，４Ａが備えている独自の反射面４５，４６の機能を発揮させることができ、変化に富んだ光の演出が可能となっている。
（４）  前記フサギ材５を用いて前記照明器具２を前記フレーム１に取り付けることとしたので、前記フサギ材５に、フレーム１の開口１０を塞ぐことができる機能に加えて、取付材としての機能を付加することができ、各種の照明器具２の取付手段として、柔軟に対応することができる。
（５）  前記取付材３、前記リフレクタ材４，４Ａ及び前記フサギ材５は、前記フレーム１に対して係脱自在に配置されているので、インテリア建材のメンテナンスが容易になり、また、趣向の変化に柔軟に対応することができる。
【００５１】
上述のように、前記取付材３等の起立係止片３２，３２は、前記フレーム１の取付ヒレ１３，１３の傾斜部１３１，１３１に係止されて、前記フレーム１からハズレ難いようになっているが、両者の係合をより確実にするため、前記取付材３、リフレクタ材４，４Ａ、フサギ材５にハズレ止め８を取付けてもよい。
前記ハズレ止め８は、図１８のように、例えばフサギ材５を例示して説明すれば、その起立係止片５２，５２を支持する支持板８０と，フサギ材５がフレーム１の室内側（図１８の横断面図において紙面の下側）に係脱することを防止するフック片８１からなる。
また、前記フレーム１の上下端に、開口１０を塞ぐための端部フサギ（図示なし）を設けているので、フレーム１を壁面等に固定する前に、フレーム１の長手方向から前記取付材３、リフレクタ材４，４Ａ、フサギ材５が抜け出すことを防止している。
【００５２】
上記各実施形態では、インテリア建材は主としてたて建物のエントランス、廊下等のＺの壁面等に配置されることが想定されているが、建物の開口部の窓枠等の方立に配置してもよいし、商業施設のショウウインドウに配置してもよい。
【００５３】
本発明は、以上説明した実施形態に限定されるものではなく、多くの変形が本発明の技術的思想内で当分野において、通常の知識を有する者により可能である。
【符号の説明】
【００５４】
１  フレーム
１０  開口
１１  取付空間                          １２  第一の空間
１３  取付ヒレ                          １４  第二の空間
１５，１６  両側面                      １７  背面
１８，１８  内面
１３０，１３０  起立片                  １３１，１３１  傾斜部
２  照明器具
２Ｂ  ブラケットライト
２０  本体
２１  アーム                            ２２  配線
２３  カサ
２４  ＬＥＤモジュール                  ２５  入力線
２６  入力線コネクタ                    ２７  出力線
２８  出力線コネクタ                    ２９  照射面
３  ３Ａ  取付材
３０  薄板                              ３１  裏面
３２  ３２  起立係止片                  ３３  正面
３４  配置片
３５，３５  滑面                        ３６，３６  係止部
３７，３７  起立取付片
３８，３８  取付枠
４  ４Ａ  リフレクタ材
４０  薄板
４２，４２  起立係止片                  ４３  正面
４４  反射片                            ４５，４６  反射面
５  フサギ材
５０  薄板                              ５１  裏面
５２，５２  起立係止片                  ５３  正面
５４  孔
６  カバー材
６０  当接部                            ６１  固定部
６２  筒部                              ６３  基部
６４  被部                              ６５  開口部
８  ハズレ止め
【図１】
0006798801.tif 000002
【図２】
0006798801.tif 000003
【図３】
0006798801.tif 000004
【図４】
0006798801.tif 000005
【図５】
0006798801.tif 000006
【図６】
0006798801.tif 000007
【図７】
0006798801.tif 000008
【図８】
0006798801.tif 000009
【図９】
0006798801.tif 000010
【図１０】
0006798801.tif 000011
【図１１】
0006798801.tif 000012
【図１２】
0006798801.tif 000013
【図１３】
0006798801.tif 000014
【図１４】
0006798801.tif 000015
【図１５Ａ】
0006798801.tif 000016
【図１５Ｂ】
0006798801.tif 000017
【図１５Ｃ】
0006798801.tif 000018
【図１６Ａ】
0006798801.tif 000019
【図１６Ｂ】
0006798801.tif 000020
【図１６Ｃ】
0006798801.tif 000021
【図１７Ａ】
0006798801.tif 000022
【図１７Ｂ】
0006798801.tif 000023
【図１８】
0006798801.tif 000024